(57)【特許請求の範囲】
【請求項１】
エアモーターから供給される動力が、減速ギア装置を介してラチェット装置に伝達され、このラチェット装置に接続されたスピンドルを作動するラチェットレンチであって、前記ラチェット装置は、ラチェットハウジングに収容されるとともに、
前記ラチェットハウジングから前記スピンドルが突出する面と反対側のラチェットハウジングの面を覆うカバープレートと、
前記カバープレートに配設され、前記エアモーターのシャフトの軸方向と平行に摺動可能に取り付けられた一対のリバースボタンと、
前記リバースボタンにそれぞれ回動可能に取り付けられるとともに、前記リバースボタンとともに往復動可能な一対のリバースアームと、
前記リバースアームの動きに応じて、前記リバースアームの一つに交互に噛合されて回動させられるリバースギアとを備えるラチェットレンチ。
【請求項２】
前記リバースアームは、前記カバープレートに一端を固定された一対のスプリングにそれぞれ結合されるとともに、前記カバープレートに固着された背高ピンに掛け留めされる湾曲部が形成され、
前記スプリングは前記リバースアームを前記リバースギアから離す方向に付勢されたことを特徴とする請求項１記載のラチェットレンチ。
【請求項３】
前記リバースアームは、互いに近接する方向に付勢されたスプリングが掛け渡されたことを特徴とする請求項２記載のラチェットレンチ。
【請求項４】
前記リバースアームは、前記リバースギアに噛合される端部にラックが形成されたことを特徴とする請求項１記載のラチェットレンチ。
【請求項５】
前記ラックは、そのピッチ線が前記リバースアームの長手方向軸に対して傾斜して形成されたことを特徴とする請求項４記載のラチェットレンチ。
【発明の詳細な説明】
【０００１】
【発明の属する技術分野】
本発明は、ラチェットレンチに関し、回転方向を切換可能なリバースラチェットレンチに関する。
【０００２】
【従来の技術】
従来のリバースラチェットレンチのラチェット装置は、例えば、特開平１０−２１７１４０号公報に開示されている。
このラチェット装置は、ラチェットレンチのヘッドに収容されていて、駆動軸とラチェット方向セレクタを有する。ラチェット方向セレクタは駆動軸を回転して接続されたソケットを駆動軸の軸まわりで時計回り方向又は反時計回り方向に駆動させるように配置され、駆動軸はヘッドから横方向外側に伸びており、ナット又はボルトなどの締め具を締めたり緩めたりするために、駆動軸と一緒にソケットを回転するように、当該ソケットを解放自在に保持するようにしてある。
【０００３】
【発明が解決しようとする課題】
しかしながら、前記従来のラチェット方向セレクタは、ヘッドの前記駆動軸の裏面に当たる位置に配置されており、ラチェットレンチを把持し保持するためのハンドルを握っている一方の手からは遠い位置にある。
【０００４】
したがって、ソケットを駆動軸の軸まわりで時計回り方向又は反時計回り方向に駆動させたい場合は、もう一方の手で前記ラチェット方向セレクタのツマミを回転させる必要があった。すなわち、ソケットの回転方向を切り換えるには、両手を使わなければならなかった。
【０００５】
しかし、これではラチェットレンチがかろうじて挿入できるような狭い隙間においてナットやボルトなどを締めた後に緩めたり、緩めた後に締めたりしたい場合には、その都度ラチェットレンチを隙間から引き出して、両手を使ってラチェット方向セレクタのツマミを回転させてからソケットの回転方向を切り換えなければならず、作業性が低下する。
【０００６】
本発明は、前記従来技術の問題点に鑑み、ハンドルを握っている一方の手だけでソケットの回転方向を切り換えることができるラチェットレンチを提供することを課題とする。
【０００７】
【課題を解決するための手段】
そのために、本発明のラチェットレンチにおいては、エアモーターから供給される動力が、減速ギア装置を介してラチェット装置に伝達され、このラチェット装置に接続されたスピンドルを作動するラチェットレンチであって、前記ラチェット装置は、ラチェットハウジングに収容されるとともに、前記ラチェットハウジングから前記スピンドルが突出する面と反対側のラチェットハウジングの面を覆うカバープレートと、前記カバープレートに配設され、前記エアモーターのシャフトの軸方向と平行に摺動可能に取り付けられた一対のリバースボタンと、前記リバースボタンにそれぞれ回動可能に取り付けられるとともに、前記リバースボタンとともに往復動可能な一対のリバースアームと、前記リバースアームの動きに応じて、前記リバースアームの一つに交互に噛合されて回動させられるリバースギアとを備える。
【０００８】
本発明の他のラチェットレンチにおいては、さらに前記リバースアームは、前記カバープレートに一端を固定された一対のスプリングにそれぞれ結合されるとともに、前記カバープレートに固着された背高ピンに掛け留めされる湾曲部が形成され、前記スプリングは前記リバースアームを前記リバースギアから離す方向に付勢されたことを特徴とする。
【０００９】
本発明のさらに他のラチェットレンチおいては、さらに前記リバースアームは、互いに近接する方向に付勢されたスプリングが掛け渡されたことを特徴とする。
【００１０】
本発明のさらに他のラチェットレンチおいては、さらに前記リバースアームは、前記リバースギアに噛合される端部にラックが形成されたことを特徴とする。
【００１１】
本発明のさらに他のラチェットレンチおいては、さらに前記ラックは、そのピッチ線が前記リバースアームの長手方向軸に対して傾斜して形成されたことを特徴とする。
【００１２】
【発明の実施の形態】
本発明の実施の形態ついて図面を参照して詳細に説明する。
図１は本発明の実施の形態におけるラチェットレンチの要部斜視図、図２は図１の平面図、図３は図１のラチェットレンチを構成するカバープレートの裏面図、図４は図１のラチェットレンチを構成するラチェットハウジングの斜視図、図５は図１のラチェットレンチの内部機構を説明する平面図、図６は図１のラチェットレンチの縦断面図である。
【００１３】
図１において、１０は後述するラチェット装置２２１が収容されるラチェットハウジングであり、２０は前記ラチェット装置２２１に接続されたスピンドルである。このスピンドル２０は、後述するようにエアモーターから供給される動力が、後述する減速ギア装置２１０を介して前記ラチェット装置２２１に伝達されることで、作動する。
【００１４】
前記ラチェットハウジング１０は、前記スピンドル２０が突出する面と反対側の面を、カバープレート３０に覆われる。前記カバープレート３０は、略長方形の板状で、前記スピンドル２０に対応する部分は半円状に形成され、四隅をネジ３１によりラチェットハウジング１０にネジ止めされる。
【００１５】
また、図２に示すように前記カバープレート３０のエアモーター側には、一対の角穴３２が形成され、この角穴３２に後述する前記エアモーター１１０のシャフト１９０の軸方向と平行に摺動可能に取り付けられた一対のリバースボタン４０が配設される。このリバースボタン４０は、湾曲面４１が形成され、該湾曲面４１に複数の凸条４２が形成され、ラチェットレンチのハンドル（モーターハウジング１５０の部分）を握っている片方の手の親指だけでリバースボタン４０を摺動し易くしてある。
【００１６】
前記リバースボタン４０の湾曲面４１の裏側には、リバースボタン４０とともに往復動可能な一対のリバースアーム５０がカラー５３とともにリバースボタン４０にそれぞれ回動可能に取り付けられる。図３に示すように前期リバースアーム５０は、前記カバープレート３０裏面に往復動可能に取り付けられ、前記カラー５３は、前記ラチェットハウジング１０に形成された角溝１１の部分に収容される。
【００１７】
そして、前記リバースアーム５０の動きに応じて、前記リバースアーム５０の一つに交互に噛合されて回動させられるリバースギア６０が前記ラチェットハウジング１０に配設される。通常は、前記リバースギア６０は、２本のリバースアーム５０、５０には噛合されていないが、一方のリバースボタン４０をリバースギア６０の方向に親指で押して摺動させると、そのリバースボタン４０とともに一方のリバースアーム５０がリバースギア６０に向かって押し出され、リバースギア６０に噛合され、リバースギア６０が回動する。
【００１８】
前記リバースアーム５０は、前記カバープレート３０に一端を固定された一対のスプリング７０にそれぞれ結合され、前記スプリング７０は前記リバースアーム５０を前記リバースギア６０から離す方向に付勢されている。したがって、前記リバースアーム５０は、リバースギア６０に噛合され、リバースギア６０を回動させた後、リバースボタン４０を押し込んでいる親指を離すと、前記リバースアーム５０は、前記スプリング７０の働きにより、リバースギア６０から離される。
【００１９】
一方のリバースアーム５０ａは、前記カバープレート３０に固着された背高ピン３２ａに掛け留めされる湾曲部５１ａが形成され、前記カバープレート３０に接触して摺動させられる。また、他方のリバースアーム５０ｂは、前記カバープレート３０に固着された背低ピン３２ｂに接触して摺動させられるとともに、前記背高ピン３２ａに掛け留めされる湾曲部５１ｂが形成される。そして、一対のリバースアーム５０ａ，５０ｂ同士が互いに近接する方向に付勢されたスプリング８０が掛け渡される。これにより、前記スプリング７０の働きにより、リバースギア６０から離されたリバースアーム５０ａ，５０ｂは、前記背高ピン３２ａの位置で上下に重なり合うような状態で掛け留めされて静止する。
【００２０】
前記リバースアーム５０は、前記リバースギア６０に噛合される端部にラック５２が形成され、前記ラック５２は、そのピッチ線が前記リバースアーム５０の長手方向軸に対して傾斜して形成される。一対のリバースアーム５０は、この実施例の場合は、２本とも同じ形状のものが使用されるが、図３に示すように、前記カバープレート３０には、裏表を逆にして取り付けられる。
【００２１】
図５及び６において、１１０はエアモーターであり、開閉レバー１２０の操作により、空気導入部１３０から開閉弁１４０を介して導入する加圧空気によって、モーターハウジング１５０内で回転し、そのシャフト１９０が回転する。なお、モーターハウジング１５０は、ラチェットレンチの握り部分、すなわちハンドルとなる。
【００２２】
前記エアモーター１１０は、そのローター本体１６０がモーターハウジング１５０に固定されたベアリング１７０，１８０に回転自在に軸支される。前記ローター本体１６０はシャフト１９０を備え、このシャフト１９０は、前記ベアリング１８０に軸支されるとともに、その先端部は減速ギア装置２１０に噛合される。
【００２３】
減速ギア装置２１０は、前記シャフト１９０に噛合されるアイドルギア２１２と、ロックリング２２４により前記モーターハウジング１５０に結合されたラチェットハウジング１０に固定されるとともに前記アイドルギア２１２に噛合されるインターナルギア２１３と、前記アイドルギア２１３にアイドルピン２２５を介して連結されクランクシャフト２１５に噛合されたケージ２１４とからなる。
【００２４】
アイドルギア２１２は、前記シャフト１９０を中心に３個配置され、シャフト１９０の回りを公転する。なお、アイドルギア２１２はアイドルピン２２５に対して回転自在に取り付けられる。そして、各アイドルピン２２５（図６の実施の形態では３個のアイドルピン）に固定されたケージ２１４はアイドルギア２１２の公転とともに自転し、クランクシャフト２１５を回転させる。
【００２５】
前記クランクシャフト２１５は前記ラチェットハウジング１０内において、減速ギア装置２１０側はブッシュ２２５により、またスピンドル２０側は、ニードルベアリング２１６により回転自在に軸支される。
【００２６】
このクランクシャフト２１５は、軸芯から偏心した位置の先端面２１５ａにクランクピン２１８が突出して形成され、このクランクピン２１８にブッシュ２１９を回転自在に接続している。このブッシュ２１９は、ヨーク２２０の割溝２２０ａに回動自在に嵌合位置し、このヨーク２２０はラチェット装置２２１を介してスピンドル２０に接続している。
【００２７】
ラチェットレンチは上記構成であるので、スピンドル２０に目的のボルト、ナット等に接続し締め付け作業を行うには、開閉レバー１２０を操作してエアモーター１１０を作動させれば、ローター本体１６０とともにシャフト１９０が回転する。
【００２８】
シャフト１９０の回転は、減速ギア装置２１０で減速され、その回転はクランクシャフト２１５を介してヨーク２２０に伝達され、ヨーク２２０を連続的に首振り運動させ、この首振り運動を、ラチェット装置２２１によって、スピンドル２０の回転運動に変換して、締め付けを行う。そして、前記リバースボタン４０の操作により前記リバースギア６０を回動させることにより前記スピンドル２０の回転方向を切り換えて、緩めを行う。
【００２９】
【発明の効果】
以上詳細に説明したように、本発明のラチェットレンチによれば、エアモーターから供給される動力が、減速ギア装置を介してラチェット装置に伝達され、このラチェット装置に接続されたスピンドルを作動するラチェットレンチであって、前記ラチェット装置は、ラチェットハウジングに収容されるとともに、前記ラチェットハウジングから前記スピンドルが突出する面と反対側のラチェットハウジングの面を覆うカバープレートと、前記カバープレートに配設され、前記エアモーターのシャフトの軸方向と平行に摺動可能に取り付けられた一対のリバースボタンと、前記リバースボタンにそれぞれ回動可能に取り付けられるとともに、前記リバースボタンとともに往復動可能な一対のリバースアームと、前記リバースアームの動きに応じて、前記リバースアームの一つに交互に噛合されて回動させられるリバースギアとを備えるので、ハンドルを握っている片方の手の親指だけで一対のリバースボタンを操作するだけでスピンドルの回転方向を切り換えることができるようになり、ラチェットレンチの操作性が大幅に向上する。
【図面の簡単な説明】
【図１】本発明の実施の形態におけるラチェットレンチの要部斜視図である。
【図２】図１の平面図である。
【図３】図１のラチェットレンチを構成するラカバープレートの裏面図である。
【図４】図１のラチェットレンチを構成するラチェットハウジングの斜視図である。
【図５】図１のラチェットレンチの内部機構を説明する平面図である。
【図６】図１のラチェットレンチの縦断面図である。
【符号の説明】
10  ラチェットハウジング        20  スピンドル
30  カバープレート              32  ピン
40  リバースボタン              50  リバースアーム
52  ラック                      60  リバースギア
70  スプリング                  80  スプリング
110 エアモーター                190 シャフト
210 減速ギア装置                221 ラチェット装置
【図１】
0003983535.tif 000002
【図２】
0003983535.tif 000003
【図３】
0003983535.tif 000004
【図４】
0003983535.tif 000005
【図５】
0003983535.tif 000006
【図６】
0003983535.tif 000007